(57)【特許請求の範囲】
【請求項１】
本体部と該本体部を支持する脚部とを有する被梱包物が収容される、底板及び該底板の一辺から立設される一側板を有する梱包箱と、
該梱包箱の内部において、前記底板及び前記一側板と、前記本体部との間に形成される空間に設けられる中間緩衝部材と、を備え、
前記中間緩衝部材は、前記本体部の下面と前記底板とに当接する上下方向支持部と、
該上下方向支持部に連結されて、前記上下方向支持部の前記一側板の方向への移動を規制する位置決め部と、を有し、
前記上下方向支持部には、前記本体部の下面から前記底板と前記一側板との間の下隅に近接する斜め下方向に延びて前記底板に当接する傾斜部が形成され、
前記被梱包物が収容された前記梱包箱を、前記下隅側の角を支点として、前記被梱包物の重心が前記角を通る垂線上に位置する釣り合い位置まで傾斜させた際に、前記傾斜部が前記垂線と平行となるように形成されていることを特徴とする梱包部材。
【請求項２】
本体部と該本体部を支持する脚部とを有する被梱包物が収容される、底板及び該底板の一辺から立設される一側板を有する梱包箱と、
該梱包箱の内部において、前記底板及び前記一側板と、前記本体部との間に形成される空間に設けられる中間緩衝部材と、を備え、
前記中間緩衝部材は、前記本体部の下面と前記底板とに当接する上下方向支持部と、
該上下方向支持部に連結されて、前記上下方向支持部の前記一側板の方向への移動を規制する位置決め部と、を有し、
前記上下方向支持部には、前記本体部の下面から前記底板と前記一側板との間の下隅に近接する斜め下方向に延びて前記底板に当接する傾斜部が形成され、
前記梱包箱は、前記被梱包物の上面を覆う蓋ケースを有し、
該蓋ケースは、前記梱包箱の前記一側板の内側に挿入される側板を有し、
前記位置決め部は、前記蓋ケースの側板に当接していることを特徴とする梱包部材。
【請求項３】
本体部と該本体部を支持する脚部とを有する被梱包物が収容される、底板及び該底板の一辺から立設される一側板を有する梱包箱と、
該梱包箱の内部において、前記底板及び前記一側板と、前記本体部との間に形成される空間に設けられる中間緩衝部材と、を備え、
前記中間緩衝部材は、前記本体部の下面と前記底板とに当接する上下方向支持部と、
該上下方向支持部に連結されて、前記上下方向支持部の前記一側板の方向への移動を規制する位置決め部と、を有し、
前記上下方向支持部には、前記本体部の下面から前記底板と前記一側板との間の下隅に近接する斜め下方向に延びて前記底板に当接する傾斜部が形成され、
前記被梱包物の前記本体部の上部と前記梱包箱との間に介装される上部緩衝部材と、
前記被梱包物の前記脚部と前記梱包物との間に介装される下部緩衝部材と、を更に備えることを特徴とする梱包部材。
【請求項４】
本体部と該本体部を支持する脚部とを有する被梱包物が収容される、底板及び該底板の一辺から立設される一側板を有する梱包箱と、
該梱包箱の内部において、前記底板及び前記一側板と、前記本体部との間に形成される空間に設けられる中間緩衝部材と、を備え、
前記中間緩衝部材は、前記本体部の下面と前記底板とに当接する上下方向支持部と、
該上下方向支持部に連結されて、前記上下方向支持部の前記一側板の方向への移動を規制する位置決め部と、を有し、
前記上下方向支持部には、前記本体部の下面から前記底板と前記一側板との間の下隅に近接する斜め下方向に延びて前記底板に当接する傾斜部が形成され、
前記位置決め部と前記上下方向支持部とは、それぞれ別の梱包材料を折り曲げることで形成されており、
前記位置決め部は、
互いに対向する側壁と、
該側壁の上縁間に設けられた上壁と、を有し、
前記上下方向支持部は、
前記傾斜部がそれぞれの端面に設けられて、互いに対向する二重構造の側壁と、
該側壁のそれぞれの一方の側縁間に設けられた端壁と、
前記側壁のそれぞれの上縁間に設けられた上壁と、を有し、
前記位置決め部と前記上下方向支持部とは、前記上下方向支持部の前記側壁と前記端壁と前記上壁とで囲まれた中空部に前記位置決め部を嵌め込んで互いに係合させることで連結されることを特徴とする梱包部材。
【請求項５】
前記上下方向支持部の前記端壁は逆台形状を有していることを特徴とする請求項４に記載の梱包部材。
【請求項６】
前記上下方向支持部の前記端壁は、前記被梱包物の前記脚部に当接していることを特徴とする請求項４又は５に記載の梱包部材。
【請求項７】
前記位置決め部は、前記上下方向支持部の前記側壁と前記端壁とにそれぞれ係合する係合部を有していることを特徴とする請求項４〜６のいずれか１項に記載の梱包部材。
【請求項８】
画像形成された用紙に後処理を行う本体部と、該本体部を支持する脚部と、を備える後処理装置が収容される、底板及び該底板の一辺から立設される一側板を有する梱包箱と、
該梱包箱の内部において、前記底板及び前記一側板と、前記本体部との間に形成される空間に設けられる中間緩衝部材と、を備え、
前記中間緩衝部材は、前記本体部の下面と前記底板とに当接する上下方向支持部と、
該上下方向支持部に連結されて、前記上下方向支持部の前記一側板の方向への移動を規制する位置決め部と、を有し、
前記上下方向支持部には、前記本体部の下面から前記底板と前記一側板との間の下隅に近接する斜め下方向に延びて前記底板に当接する傾斜部が形成され、
前記後処理装置が収容された前記梱包箱を、前記下隅側の角を支点として、前記後処理装置の重心が前記角を通る垂線上に位置する釣り合い位置まで傾斜させた際に、前記傾斜部が前記垂線と平行となるように形成され、
前記上下方向支持部は、前記本体部の下面と前記底板とに当接することを特徴とする梱包部材。
【発明の詳細な説明】
【技術分野】
【０００１】
本発明は、被梱包物を梱包する梱包部材に関する。
【背景技術】
【０００２】
複写機はプリンター等の画像形成装置には、画像形成された用紙に、ステイプル処理や穿孔処理を行う後処理装置がオプション機器として装着される場合がある。このような後処理装置は、画像形成装置の用紙排出口の側方に配置されるようになっている。通常、用紙排出口は画像形成装置の上部に形成されているので、後処理装置は、ステイプル処理や穿孔処理を行う本体部が用紙排出口と同じ高さとなるように、脚部によって支持されている。
【０００３】
ところで、画像形成装置や後処理装置のような被梱包物を梱包箱に梱包する際には、運搬や保管中に被梱包物が受ける衝撃を緩和するために、被梱包物と梱包箱との間に緩衝部材が介装される。被梱包物として画像形成装置を梱包箱に梱包する場合は、特許文献１や特許文献２に記載されているように、画像形成装置の対向する上角部及び対向する下角部と、梱包箱との間にパルプモールド製の緩衝部材が介装される場合が多い。
【０００４】
また、後処理装置のような、重心が上方に位置する構造の被梱包物を梱包箱に梱包する場合は、後処理装置の周囲と梱包箱との間に緩衝部材が介装されるのみでなく、梱包箱の底面と本体部との間にも緩衝部材が介装されて、落下時に本体部が受ける衝撃を緩衝するようになっている。
【先行技術文献】
【特許文献】
【０００５】
【特許文献１】特開２００５−２２６８０号公報
【特許文献２】特開２００６−１６８７４７号公報
【発明の概要】
【発明が解決しようとする課題】
【０００６】
しかしながら、後処理装置が上記のように梱包箱に梱包された場合、例えば、梱包箱が真っ直ぐな姿勢で落下した場合は、梱包箱の底面と本体部との間に介装された緩衝部材によって本体部が受ける衝撃が緩衝されるが、梱包箱が斜め姿勢で落下した際には、本体部と梱包箱の底面との間に介装された緩衝部材では、本体部が斜め下方向から受ける衝撃を十分に緩衝することは不可能である。
【０００７】
そこで本発明は上記事情を考慮し、後処理装置のような重心が上方に位置する被梱包物を、斜め落下した場合に受ける衝撃を緩衝できるように梱包する梱包部材を提供することを目的とする。
【課題を解決するための手段】
【０００８】
上記課題を解決するため、本発明の梱包材料は、本体部と該本体部を支持する脚部とを有する被梱包物が収容される、底板及び該底板の一辺から立設される一側板を有する梱包箱と、該梱包箱の内部において、前記底板及び前記一側板と、前記本体部との間に形成される空間に設けられる中間緩衝部材と、を備え、前記中間緩衝部材は、前記本体部の下面と前記底板とに当接する上下方向支持部と、該上下方向支持部に連結されて、前記上下方向支持部の前記一側板の方向への移動を規制する位置決め部と、を有し、前記上下方向支持部には、前記本体部の下面から前記底板と前記一側板との間の下隅に近接する斜め下方向に延びて前記底板に当接する傾斜部が形成されていることを特徴とする。
【０００９】
このような構成を採用することにより、梱包箱が下隅から斜め落下した際に、斜め落下方向に対する剛性が得られるので、本体部を確実に保護することができる。さらに、本体部が受ける衝撃を、上下方向支持部と位置決め部とに分散して緩衝することができる。
【００１０】
本発明の梱包部材において、前記被梱包物が収容された前記梱包箱を、前記下隅側の角を支点として、前記被梱包物の重心が前記角を通る垂線上に位置する釣り合い位置まで傾斜させた際に、前記傾斜部が前記垂線と平行となるように形成されていることを特徴としても良い。
【００１１】
このような構成を採用することにより、梱包箱が下隅から斜め落下した際に、斜め落下方向に対するより高い剛性を得ることができる。
【００１２】
本発明の梱包部材において、前記梱包箱は、前記被梱包物の上面を覆う蓋ケースを有し、該蓋ケースは、前記梱包箱の前記一側板の内側に挿入される側板を有し、前記位置決め部は、前記蓋ケースの側板に当接していることを特徴としても良い。
【００１３】
このような構成を採用することにより、被梱包物を覆うように被せられる蓋ケースを備える梱包箱にも対応することができる。
【００１４】
本発明の梱包部材において、前記被梱包物の前記本体部の上部と前記梱包箱との間に介装される上部緩衝部材と、前記被梱包物の前記脚部と前記梱包物との間に介装される下部緩衝部材と、を更に備えることを特徴としても良い。
【００１５】
このような構成を採用することにより、被梱包物をより確実に保護することができる。
【００１６】
本発明の梱包部材において、前記位置決め部と前記上下方向支持部とは、それぞれ別の梱包材料を折り曲げることで形成されており、前記位置決め部は、互いに対向する側壁と、該側壁の上縁間に設けられた上壁と、を有し、前記上下方向支持部は、前記傾斜部がそれぞれの端面に設けられて、互いに対向する二重構造の側壁と、該側壁のそれぞれの一方の側縁間に設けられた端壁と、前記側壁のそれぞれの上縁間に設けられた上壁と、を有し、前記位置決め部と前記上下方向支持部とは、前記上下方向支持部の前記側壁と前記端壁と前記上壁とで囲まれた中空部に前記位置決め部を嵌め込んで互いに係合させることで連結されることを特徴としても良い。
【００１７】
このような構成を採用することにより、緩衝部材を簡易で安価な方法で形成することができる。また、位置決め部と上下方向支持部とを、重心のある本体部の形状や位置に合わせて形成できるので、様々な形状の被梱包物に対応しやすい。
【００１８】
本発明の梱包部材において、前記上下方向支持部の前記端壁は逆台形状を有していることを特徴としても良い。
【００１９】
このような構成を採用することにより、被梱包物と端壁との当接箇所を、被梱包物の形状に合わせて分散できるので、被梱包物が受ける衝撃を分散して緩衝できる。
【００２０】
本発明の梱包部材において、前記上下方向支持部の前記端壁は、前記被梱包物の前記脚部に当接していることを特徴としても良い。
【００２１】
このような構成を採用することにより、脚部が受ける衝撃を緩衝できる。
【００２２】
本発明の梱包部材において、前記位置決め部は、前記上下方向支持部の前記側壁及び前記側壁にそれぞれ係合する係合部を有していることを特徴としても良い。
【００２３】
このような構成を採用することにより、位置決め部と上下方向支持部とを確実に係合させることができるので、中間緩衝部材の剛性が得られる。
【００２４】
本発明の梱包部材において、前記被梱包物は、画像形成された用紙に後処理を行う本体部と、該本体部を支持する脚部と、を備える後処理装置であり、前記上下方向支持部は、前記本体部の下面と前記底板とに当接することを特徴としても良い。
【発明の効果】
【００２５】
本発明によれば、梱包箱が下隅から斜め落下した際に、被梱包物の荷重が上下方向支持部と位置決め部とによってそれぞれ梱包箱の底板と側板とに分散されるので、被梱包物を確実に保護することができる。
【図面の簡単な説明】
【００２６】
【図１】本発明の一実施形態に係る梱包部材を示す側面図である。
【図２】本発明の一実施形態に係る梱包部材を示す正面図である。
【図３】本発明の一実施形態に係る梱包部材を、下角を中心にして釣り合い姿勢に傾斜させた状態を示す側面図である。
【図４】本発明の一実施形態に係る梱包部材の緩衝部材を示す図であり、図４（Ａ）は側面図、図４（Ｂ）は正面図である。
【図５】本発明の一実施形態に係る緩衝部材の位置決め部の展開図である。
【図６】本発明の一実施形態に係る緩衝部材の上下方向支持部の展開図である。
【発明を実施するための形態】
【００２７】
以下、図面を参照しつつ本発明の一実施形態に係る梱包部材について説明する。
【００２８】
図１及び図２に示されるように、本発明の一実施形態に係る梱包部材５は、被梱包物である後処理装置１を収容する梱包箱１０と、梱包箱１０と後処理装置１との間に介装される緩衝部材２０と、を備えている。図１及び図２は、梱包箱に収容された後処理装置を示す図であり、図１は側面図、図２は正面図である。以降の説明における左右方向は、後処理装置１を正面側から見た方向を基準とする。
【００２９】
まず、後処理装置１について説明する。後処理装置１は、画像形成装置から排出されたシートの後処理を行う本体部２と、本体部２を支持する脚部３と、を備えている。
【００３０】
本体部２は、略直方体形状を有し、画像形成装置に対向する背面に、画像形成装置から排出されたシートが搬入される搬入部２ａが形成され、正面には、排出トレイ２ｂが支持されている。本体部２の内部には、搬入部２ａから排出トレイ２ｂに向かってシートを搬送するシート搬送経路が設けられており、このシート搬送経路の途中に、ステイプル処理や穿孔処理等の後処理を行う処理装置が設けられている。本体部２の下面２ｃは、背面側の平坦面と、正面側の上方傾斜面とを有している。
【００３１】
脚部３は、左右一対の支柱３ａと、各支柱３ａの下端から正面側に水平に延出する支持部材３ｂと、各支柱３ａの下端部を連結する連結部材３ｃと、を有している。一対の支柱３ａの上端は、本体部ユニット２の下面２ｃの平坦面の左右方向両端部に固定されている。各支持部材３ｂの下面には、キャスターが回転可能に支持されている。このような構成により、後処理装置１は、上方の本体部２に重心が位置する構造となっている。
【００３２】
次に、梱包箱１０について説明する。梱包箱１０は、スキッド１１と、スキッド１１の内側に挿入される蓋ケース１２と、を備えている。スキッド１１は、矩形状の底板１１ａと、底板１１ａの周縁から立設された側板１１ｂと、底板１１ａの下面に固定された脚桁１１ｃと、を有している。脚桁１１ｃは、段ボールスキッドを井桁状に組み合わせたものであり、フォークリフトの係合部と係合するようになっている。蓋ケース１２は、スキッド１１の各側板１１ｂの内側に挿入される側板１２ｂと、側板１２ｂの上縁に連接されたフラップ１２ａと、を有している。スキッド１１の各側板１１ｂの内側に蓋ケース１２の各側板１２ｂを挿入して、蓋ケース１２の側板１２ｂとスキッド１１の側板１１ｂとを連結することで、梱包箱１０が組み立てられる。
【００３３】
次に、緩衝部材２０について、図１及び図２と、図３〜図６を参照して説明する。図３は、釣り合い姿勢の梱包箱を示す側面図、図４（Ａ）は中間緩衝部材を示す側面図、図４（Ｂ）は中間緩衝部材を示す正面図、図５は位置決め部材の展開図、図６は上下方向支持部の展開図である。
【００３４】
緩衝部材２０は、図１及び図２に示されるように、本体部２と蓋ケース１２との間に介装される一対の上部緩衝部材２１と、脚部３とスキッド１１との間に介装される一対の下部緩衝部材２２と、本体部２とスキッド１１との間に介装される中間緩衝部材２３と、を有している。
【００３５】
一対の上部緩衝部材２１は、本体部２の左上角部及び右上角部と、蓋ケース１２との間に介装されている。一対の下部緩衝部材２２は、脚部３の各支持部材３ｂと、スキッド１１との間に介装されている。一対の上部緩衝部材２１と一対の下部緩衝部材２２とは、例えば、パルプモールドで形成されている。
【００３６】
中間緩衝部材２３は、脚部３の一対の支持部材３ｂと連結部材３ｃと間に配置されて、本体部２の下面と、スキッド１１の正面側で交差する底板１１ａと側板１１ｂの間の下隅Ｃとの間に介装されている。中間緩衝部材２３は、側板１１ｂに当接する位置決め部２５と、位置決め部２５よりも背面側（後処理装置１の側）に設けられて、本体部２の下面２ｃとスキッド１１の底板１１ａとに当接する上下方向支持部２６と、を有している。
【００３７】
図４（Ａ）及び図４（Ｂ）に示されるように、位置決め部２５は、左右方向において互いに対向する側壁３１と、各側壁３１の上縁間に設けられた上壁３２と、で構成され、断面形状が下方に開口した逆台形状に形成されている。各側壁３１は横長の矩形状を有し、上壁３２は横長の矩形状を有している。各側壁３１の正面側の側縁の水平面に対する角度αは直角である。
【００３８】
上下方向支持部２６は、位置決め部２５よりも高い高さを有し、左右方向において互いに対向する二重構造の側壁４１と、各側壁４１の背面側の側縁間に設けられた端壁４２と、各側壁４１の上縁間に設けられた上壁４３と、で構成され、正面側の面と下面とが開口した中空部を有するように形成されている。各側壁４１は略台形状を有し、端壁４２は逆台形状を有し、上壁４３は矩形状を有している。各側壁４１は前述のように二重構造であり、左右方向に対向する第１側面部４６ａ及び第２側面部４６ｂと、正面側の端面である傾斜部４７と、によって形成されている。傾斜部４７の水平面に対する角度βは鋭角であり、例えば、６０±５°である。
【００３９】
位置決め部２５と上下方向支持部２６とは、上下方向支持部２６の中空部に位置決め部２５が収容されて、互いに係合することで組み立てられるようになっている。位置決め部２５と上下方向支持部２６とは、それぞれ、段ボールのような板材の梱包材料で形成される。
【００４０】
位置決め部２５は、図５に示されるように、目方向が縦方向である横長の長方形状の段ボール５０を折り曲げることで形成される。段ボール５０には、中央部に２本の縦折り曲げ線５１が目方向と平行に形成されて、中央の上壁３２と、両側の側壁３１と、を区画している。各側壁３１には、縦折り曲げ線５１と直交する縁の一方（図５の下縁）に沿って、所定の間隔を開けて２個のフック片５２が形成されている。また、各側壁３１の一方のフック片５２の内側には、矩形状の連結開口５３が形成されている。各縦折り曲げ線５１で山折りすることにより、段ボール５０は断面形状が逆台形状に組み立てられて、位置決め部２５が形成される。位置決め部２５は、開口が下方に開口し、各側壁３１のフック片５２が形成された縁が背面側を向く姿勢（図４（Ａ）参照）において、各側壁３１の正面側の下角の角度αは直角となっている。
【００４１】
上下方向支持部２６は、図６に示されるように、目方向が縦方向である横長の段ボール６０を折り曲げることで形成される。段ボール６０には、中央部に２本の縦折り曲げ線６１が形成されて、中央の端壁４２と、両側の側壁４１と、を区画している。端壁４２の上下方向は、段ボール６０の目方向と平行となっている。中央の２本の縦折り曲げ線６１は、下方に向かって互いに接近するように延びており、端壁４２は逆台形状を成している。端壁４２には、各縦折り曲げ線６１の内側に、上側から順に、第１係止孔６２と、２個の第２係止孔６３とがそれぞれ形成されている。第２係止孔６３は、各縦折り曲げ線６１に沿って所定の距離だけ離れて形成されている。また、端壁４２の上縁には、横折り曲げ線６５を介して上壁４３が連接されている。上壁４３の先端縁には、横折り曲げ線６７を介して係止片６８が連接されている。係止片６８には、先端縁の両端部に、切り欠き６９がそれぞれ形成されている。
【００４２】
各側壁４１には、中央部に２本の縦折り曲げ線７１が形成されて、傾斜部４７と、傾斜部４１の内側の第１側面部４６ａ及び外側の第２側面部４６ｂと、を区画している。２本の縦折り曲げ線７１は、下方に向かって互いに接近するように延びており、傾斜部４７は逆台形状を成している。第１側面部４６ａのほぼ中央には、矩形状の貫通孔７７が形成されている。第２側面部４６ｂのほぼ中央には、下広がりの台形状の連結片７８が形成されている。連結片７８は、両側縁と下縁とが切り込み線８０によって囲まれて、上縁に沿った折り曲げ線７９に沿って折り曲げ可能である。また、傾斜部４７と第２側面部４６ｂとの間には、上縁から縦折り曲げ線７１に沿って切り欠き７５が形成されている。さらに、第２側面部４６ｂには、外縁の上部に、係止片７６が連接されている。
【００４３】
段ボール６０を組み立てる際は、まず、中央の２本の縦折り曲げ線６１で谷折りする。そして、各側壁４１の中央の２本の縦折り曲げ線７１をそれぞれ谷折りして、第２側面部４６ｂの係止片７６を、端壁４２の第１係止孔６２に係止させる。これにより、側壁４１は、傾斜部４７を介して互いに対向する第１側面部４６ａと第２側面部４６ｂによって、二重構造となるように形成される。このとき、第１側面部４６ａの連結片７８と第２側面部４６ｂの貫通孔７７とが対向する。
【００４４】
そして、上壁４３と端壁４２との間の横折り曲げ線６５を谷折りし、上壁４３と係止片６８との間の横折り曲げ線６７を谷折りし、係止片６８の先端縁に形成された切り欠き６９を、それぞれ、側壁４１の傾斜部４７と第２側面部４６ｂとの間に形成された切り欠き７５に係合させる。これにより、段ボール６０から、上下方向支持部２６が組み立てられる。
【００４５】
このように組み立てられた位置決め部２５と上下方向支持部２６とを連結するには、図４Ｂに示されるように、位置決め部２５を、開口が下方に開口し、各側壁３１のフック片５２が形成された縁が背面側を向く姿勢に支持し、上下方向支持部２６の中空部に嵌め込み、位置決め部２５の各側壁３１を、上下方向支持部２６の各側壁４１の内側に重ねる。そして、位置決め部２５の各フック片５２を、上下方向支持部２６の端壁４２に形成された第２係止孔６３に係止させる。さらに、上下方向支持部２６の貫通孔７７を通して、連結片７８を折り曲げ線７９に沿って内側に折り曲げると、連結片７８が位置決め部２５の連結開口５３に係合する。このように、位置決め部２５のフック片５２と上下方向支持部２６の第２係止孔６３、及び、位置決め部２５の連結開口５３と上下方向支持部２６の連結片７８、とは、位置決め部２５と上下方向支持部２６とを互いに係合する係合部を形成している。これらの係合部により、位置決め部２５と上下方向支持部２６とが連結される。連結された状態では、位置決め部２５の正面側の端部は、上下方向支持部２６の各側壁４１の間から正面側に突き出ている。
【００４６】
上記構成を有する梱包部材５に後処理装置１を梱包する際は、まず、スキッド１１の左右の隅部に、一対の下部緩衝部材２２をそれぞれ配置し、後処理装置１の脚部３の一対の支持部材３ｂを、一対の下部緩衝部材２２の上面に載置する。
【００４７】
そして、中間緩衝部材２３を、図１及び図２に示されるように、一対の支持部材３ｂと連結部材３ｃとの間に配置して、後処理装置１とスキッド１１との間に介装させる。詳細には、中間緩衝部材２３の下縁を、スキッド１１の底板１１ａに当接させる。そして、図２に示されるように、上下方向支持部２６の上壁４３を、本体部２の下面２ｃの正面側傾斜面Ｒ１に当接させる。さらに、端壁４２の左右の上隅部を、脚部３の各支柱３ａの正面側側面の内側上隅部Ｒ２に当接させ、端壁４２の下部を、脚部３の連結部材３ｃの正面側側面Ｒ３に当接させる。そして、位置決め部２５の各側壁３１の前縁を、蓋ケース１２の前側の側板１２ｂに当接させる。このように中間緩衝部材２３を介装させることで、後処理装置１の本体部２は上下方向支持部２６によって上下方向において支持される。また、正面方向への上下方向支持部２６の移動は位置決め部２５によって規制される。
【００４８】
また、上下方向支持部２６においては、各側壁４１の傾斜部４７が、本体部２の下面からスキッド１１の正面側の下隅の手前に向かって斜め下方向に延びて底板１１ａに当接するようになっている。ここで、図３に示されるように、傾斜部４７は、後処理装置１が収容された梱包箱１０を、下隅Ｃの側の下角Ｔを支点として、後処理装置３の重心が下角Ｔを通る垂線Ｐ上に位置する釣り合い位置まで傾斜させた際に、垂線Ｐと平行となるように形成されている。
【００４９】
中間緩衝部材２３を後処理装置１とスキッド１１との間に介装させた後、蓋ケース１２をスキッド１１の内側に挿入する。そして、蓋ケース１２の側板１２ｂとスキッド１１の側板１１ｂとをジョイントで連結する。その後、蓋ケース１２のフラップ１２ａを開いて、本体部２の左右の角部と蓋ケース１２との間に一対の上部緩衝部材２１を介装させた後、フラップ１２ａを閉じる。  
【００５０】
上記の上部緩衝部材２１、下部緩衝部材２２、中間緩衝部材２３を介装させて後処理装置１が梱包された梱包箱１０においては、下方への落下によって後処理装置１が受ける衝撃は、下部緩衝部材２２と中間緩衝部材２３とによって緩衝される。特に本体部２が受ける衝撃は、中間緩衝部材２３によって緩衝される。
【００５１】
図３を参照して、梱包箱１０が正面側の下角Ｔから斜め落下した際の衝撃緩衝作用について説明する。なお、前述のように、スキッド１１の側板１１ｂの内側に蓋ケース１２の側板１２ｂが挿入されているので、実際には、梱包箱１０の正面側の下隅Ｃは、スキッド１１の底板１１ａと蓋ケース１２の側板１２ｂとの間に形成されるが、以降の説明では、便宜上、梱包箱１０の正面側の下隅は、スキッド１１の底板１１ａと側板１１ｂとの間に形成されるものとする。
【００５２】
梱包箱１０が斜め落下した際にも、後処理装置１が受ける衝撃は、一対の上部緩衝部材２１と一対の下部緩衝部材２２とによって緩衝される。特に本体部２が受ける衝撃は、中間緩衝部材２３によって主に緩衝される。中間緩衝部材２３において、本体部２と底板１１ａとの間に介装されている上下方向支持部２６には、斜め落下姿勢での本体部２の重心の方向と平行な傾斜部４７が形成されているので、斜め落下方向に対する剛性が得られ、本体部２を確実に保護することができる。また、本体部２は、上下方向支持部２６によってスキッド１１の底板１１ａに支持されるのみではなく、上下方向支持部２６と連結している位置決め部２５と蓋ケース１２の側板１２ｂとを介してスキッド１１の側板１１ｂにも支持されるので、本体部２が受ける衝撃が上下方向支持部２６と位置決め部２５とに分散されて緩衝される。なお、位置決め部２５の各側板３１を下端がスキッド１１の底板１１ａに当接するように形成して、各側壁３１の下角を隅部Ｃに当接するようにしてもよい。さらに、傾斜部４７を下隅Ｃに当接するように形成しても良い。この場合は、位置決め部２５を、スキッド１１の底板１１ａに当接させずに、蓋ケース１２の側板１２ｂにのみ当接するように形成することができる。
【００５３】
上記説明したように本発明の梱包部材５は、斜め落下方向に対する剛性を有しているので、後処理装置１のような重心が高い位置にある被梱包物の斜め落下時に、被梱包物を確実に保護することができる。
【００５４】
また、位置決め部２５と上下方向支持部２６とは、それぞれ段ボール５０、６０を折り曲げることで形成されるので、本体部と梱包箱の底面との間に介装される従来の緩衝部材と比べて、部品点数や組み立て工程の増加がなく、簡易且つ安価に形成することができる。さらに、位置決め部２５と上下方向支持部２６とを、本体部２の位置や高さ、形状に合わせて形成できるので、様々な形状の後処理装置１に対応しやすい。また、位置決め部２５のフック片５２と連結開口５３とが、上下方向支持部２６の端壁４２の第２係止孔６２と側壁４１の連結片７８とにそれぞれ係合するので、中間緩衝部材２３の剛性を高めることができる。
【００５５】
なお、梱包箱１０が背面側の角や左右側の角から斜めに落下するような場合は、一対の上部緩衝部材２１と一対の下部緩衝部材２２とによって後処理装置１にかかる衝撃を緩衝できる。また、梱包箱１０が正面側に倒れるような場合は、本体部２及び脚部３と蓋ケース１２の側板１２ｂとの間に中間緩衝部材２３が介装されるので、本体部２と脚部３にかかる衝撃が緩衝される。
【００５６】
さらに、上下方向支持部２６の端壁４２の形状を逆台形状としたので、後処理装置１と端壁４２との当接箇所を分散できる。詳細には、図３に示されるように、端壁４２を、脚部３の各支柱３ａの正面側側面の内側上隅部Ｒ２と、脚部３の連結部材３ｃの正面側側面Ｒ３と、にも当接させることができる。このように端壁４２の当接箇所を分散することで、後処理装置１が受ける衝撃を分散して緩衝できる。
【００５７】
また、本実施形態では、中間緩衝部材２３を位置決め部２５と上下方向支持部２６との２つの部材を組み合わせることで形成したが、一つの梱包材料から形成してもよい。また、本実施形態の中間緩衝部材２３は、上下方向支持部２６の端壁４２の形状を、後処理装置１の形状に合わせて逆台形形状としたが、端壁４２や側壁４１の形状は、後処理装置１の形状に合わせて適宜変更できる。
【００５８】
また、本実施形態では、スキッド１１と蓋ケース１２とを備える構成の梱包箱１０について説明したが、梱包箱１０の構成はこれに限らず、一般的な段ボール箱等にも本発明を適用できる。
【００５９】
また、本実施形態では、被梱包物として後処理装置１について説明したが、他にも、重心が上方に位置するような産業機器や家電製品にも適用できる。
【符号の説明】
【００６０】
１  後処理装置（被梱包物）
２  本体部
３  脚部
５  梱包部材
１０  梱包箱
１１ａ  底板
１１ｂ  側板
２１  上部緩衝部材
２２  下部緩衝部材
２３  中間緩衝部材
２５  位置決め部
２６  上下方向支持部
３１  側壁
３２  上壁
４１  側壁
４２  端壁
４３  上壁
４７  傾斜部
５０、６０  段ボール（梱包材料）
５２  フック片（係合部）
５３  連結開口（係合部）
６３  第２係止孔（係合部）
７８  連結片（係合部）
【図１】
0006669007.tif 000002
【図２】
0006669007.tif 000003
【図３】
0006669007.tif 000004
【図４】
0006669007.tif 000005
【図５】
0006669007.tif 000006
【図６】
0006669007.tif 000007